(57)【要約】【課題】映像コンテンツを再生するハイビジョン受信機などの機器から、音声コンテンツを再生する機器による高品質な音場の形成を阻害する音を出力しないようにすること。【解決手段】ＡＶソース装置２に、映像コンテンツを再生する機器３が接続可能なコネクタであって、且つ接続される機器３へ映像データおよび音声データを送信可能なストリーミング信号を出力する第一のコネクタ２１と、音声コンテンツを再生する機器４が接続可能な第二のコネクタ２２と、を設ける。ＡＶソース装置２の検出手段３８は、第二のコネクタ２２への機器接続あるいは第二のコネクタ２２に接続される機器４を検出する。供給手段３７，３８は、検出手段３８により機器接続あるいは機器４が検出されると、取得手段３２により取得した映像データを有し且つ音声データを有しないストリーミング信号を、第一のコネクタ２１へ供給する。【選択図】図５
2007258867.tif 000002
【特許請求の範囲】
【請求項１】
映像データおよび音声データを取得する取得手段と、
映像コンテンツを再生する機器が接続可能なコネクタであって、且つ接続される機器へ映像データおよび音声データを送信可能なストリーミング信号を出力する第一のコネクタと、
音声コンテンツを再生する機器が接続可能な第二のコネクタと、
上記第二のコネクタへの機器接続あるいは上記第二のコネクタに接続される機器を検出する検出手段と、
上記検出手段により機器接続あるいは機器が検出されると、上記取得手段により取得した映像データを有し且つ音声データを有しないストリーミング信号を、上記第一のコネクタへ供給する供給手段と、
を有することを特徴とするＡＶソース装置。
【請求項２】
映像データおよび音声データを取得する取得手段と、
映像コンテンツを再生する機器を接続するためのコネクタであって、且つ接続される機器へ映像データおよび音声データを送信可能なストリーミング信号を出力する第一のコネクタと、
音声コンテンツを再生する機器を接続するためのコネクタであって、且つ接続される機器へ上記第一のコネクタと同じ形式のストリーミング信号を出力する第二のコネクタと、
上記第二のコネクタへの機器の接続を検出する検出手段と、
上記検出手段により機器の接続が検出されると、上記第一のコネクタへ、上記取得手段により取得した映像データを有し且つ音声データを有しないストリーミング信号を供給するとともに、上記第二のコネクタへ、少なくとも上記取得手段により取得した音声データを有するストリーミング信号を供給する供給手段と、
を有することを特徴とするＡＶソース装置。
【請求項３】
前記供給手段は、前記取得手段により取得された映像データを有し且つ音声データを有しないストリーミング信号に替えて、前記取得手段により取得された映像データとともに無音の音声データを有するストリーミング信号を、前記第一のコネクタへ供給することを特徴とする請求項１または２記載のＡＶソース装置。
【請求項４】
映像データおよび複数のチャンネル成分を有する音声データを取得する取得手段と、
映像コンテンツを再生する機器を接続可能なコネクタであって、且つその機器へ映像データおよび音声データを送信可能なストリーミング信号を出力する第一のコネクタと、
音声コンテンツを再生する機器が接続可能な第二のコネクタと、
上記第二のコネクタへの機器接続あるいは上記第二のコネクタに接続される機器を検出する検出手段と、
上記検出手段により機器接続あるいは接続が検出されると、上記取得手段により取得された映像データとともに上記音声データの中の１つのチャンネル成分のデータを有するストリーミング信号を、上記第一のコネクタへ供給する供給手段と、
を有することを特徴とするＡＶソース装置。
【請求項５】
映像データおよび複数のチャンネル成分を有する音声データを取得する取得手段と、
映像コンテンツを再生する機器を接続するためのコネクタであって、且つその機器へ映像データおよび音声データを送信可能なストリーミング信号を出力する第一のコネクタと、
音声コンテンツを再生する機器を接続するためのコネクタであって、且つ接続される機器へ上記第一のコネクタと同じ形式のストリーミング信号を出力する第二のコネクタと、
上記第二のコネクタへの機器の接続を検出する検出手段と、
上記検出手段により機器の接続が検出されると、上記第一のコネクタへ、上記取得手段により取得した映像データとともに上記音声データの中の１つのチャンネル成分のデータを有するストリーミング信号を供給するとともに、上記第二のコネクタへ、少なくとも１つのチャンネル成分以外のすべてのチャンネル成分のデータを有するストリーミング信号を供給する供給手段と、
を有することを特徴とするＡＶソース装置。
【請求項６】
前記供給手段は、前記検出手段により機器接続あるいは機器が検出されていない場合には、前記取得手段により取得した映像データおよび音声データを有するストリーミング信号を、前記第一のコネクタへ供給することを特徴とする請求項１から５の中のいずれか１項記載のＡＶソース装置。
【請求項７】
請求項１から６の中のいずれか１項記載のＡＶソース装置とともに、
前記ＡＶソース装置の前記第一のコネクタに接続される映像コンテンツ再生機器と、
前記第二のコネクタに接続される音声コンテンツ再生機器と、
を有することを特徴とするＡＶ再生システム。
【発明の詳細な説明】
【技術分野】
【０００１】
本発明は、ＡＶソース装置およびＡＶ再生システムに関する。
【背景技術】
【０００２】
特許文献１は、映像表示装置を開示する。映像表示装置は、ＨＤＭＩ端子を有する。映像表示装置は、ＡＶ機器からＨＤＭＩ端子に入力されるデジタル入力信号を処理して、アナログ映像信号とアナログ音声信号とを生成する。映像表示装置は、生成したアナログ映像信号に基づいて映像を表示し、生成したアナログ音声信号に基づいて音声を出力する。
【０００３】
【特許文献１】特開２００４−３５７０２９号公報（図１、発明の実施の形態など）
【発明の開示】
【発明が解決しようとする課題】
【０００４】
ＤＶＤなどに記録された映画や音楽などの高品質の音と映像を楽しむために、ＡＶシステムでは、５．１ｃｈスピーカシステムなどを使用するようになってきている。５．１ｃｈスピーカシステムを使用する場合、ＤＶＤプレーヤなどのソース機器には、ハイビジョン受信機と、５．１ｃｈスピーカシステムとが接続される。ハイビジョン受信機は、ＤＶＤプレーヤからＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）信号を受信し、このＨＤＭＩ信号に含まれる映像ストリーミングデータに基づく映像を表示する。５．１ｃｈスピーカシステムは、ＤＶＤプレーヤからのデジタルあるいはアナログの音声信号を受信し、この音声信号による音声を出力する。
【０００５】
しかしながら、ＤＶＤプレーヤが出力するＨＤＭＩ信号には、映像ストリーミングデータとともに音声ストリーミングデータが含められている。そのため、ハイビジョン受信機は、ＤＶＤプレーヤから入力されるこのＨＤＭＩ信号に含まれる音声ストリーミングデータに基づいて、音声を出力してしまう。ハイビジョン受信機が出力する音声は、５．１ｃｈスピーカシステムによる高音質な音声と混ざってしまう。５．１ｃｈスピーカシステムにより、正しい音空間を形成することができない。視聴者は、５．１ｃｈスピーカシステムによる高音質な音声を楽しむことができなくなってしまう。
【０００６】
特に、ＤＶＤプレーヤなどのソース機器が、５．１ｃｈの音声ストリーミングデータを２ｃｈの音声ストリーミングデータなどにダウンミックスし、そのダウンミックスした音声ストリーミングデータをＨＤＭＩ信号に含める場合、ハイビジョン受信機は、５．１ｃｈスピーカシステムとは異なる音質の音声を出力してしまうことになる。
【０００７】
そのため、ＡＶシステムのユーザは、ＤＶＤなどに記録された高品質の音と映像を楽しむためには、ＤＶＤなどを再生する度に、ハイビジョン受信機に音声ミュートを設定しなければならない。また、ＡＶシステムのユーザは、ＤＶＤなどの再生が終了する度に、ハイビジョン受信機に音声ミュートの解除を設定しなければならない。
【０００８】
本発明は、映像コンテンツを再生するハイビジョン受信機などの機器から、音声コンテンツを再生する機器による高品質な音場の形成を阻害する音を出力しないようにすることができるＡＶソース装置およびＡＶ再生システムを得ることを目的とする。
【課題を解決するための手段】
【０００９】
本発明に係るＡＶソース装置は、映像データおよび音声データを取得する取得手段と、映像コンテンツを再生する機器が接続可能なコネクタであって、且つ接続される機器へ映像データおよび音声データを送信可能なストリーミング信号を出力する第一のコネクタと、音声コンテンツを再生する機器が接続可能な第二のコネクタと、第二のコネクタへの機器接続あるいは第二のコネクタに接続される機器を検出する検出手段と、検出手段により機器接続あるいは機器が検出されると、取得手段により取得した映像データを有し且つ音声データを有しないストリーミング信号を、第一のコネクタへ供給する供給手段と、を有するものである。
【００１０】
本発明に係る他のＡＶソース装置は、映像データおよび音声データを取得する取得手段と、映像コンテンツを再生する機器を接続するためのコネクタであって、且つ接続される機器へ映像データおよび音声データを送信可能なストリーミング信号を出力する第一のコネクタと、音声コンテンツを再生する機器を接続するためのコネクタであって、且つ接続される機器へ第一のコネクタと同じ形式のストリーミング信号を出力する第二のコネクタと、第二のコネクタへの機器の接続を検出する検出手段と、検出手段により機器の接続が検出されると、第一のコネクタへ、取得手段により取得した映像データを有し且つ音声データを有しないストリーミング信号を供給するとともに、第二のコネクタへ、少なくとも取得手段により取得した音声データを有するストリーミング信号を供給する供給手段と、を有するものである。
【００１１】
本発明に係るＡＶソース装置は、上述した発明の各構成に加えて、供給手段が、取得手段により取得された映像データを有し且つ音声データを有しないストリーミング信号に替えて、取得手段により取得された映像データとともに無音の音声データを有するストリーミング信号を、第一のコネクタへ供給するものである。
【００１２】
本発明に係る第三のＡＶソース装置は、映像データおよび複数のチャンネル成分を有する音声データを取得する取得手段と、映像コンテンツを再生する機器を接続可能なコネクタであって、且つその機器へ映像データおよび音声データを送信可能なストリーミング信号を出力する第一のコネクタと、音声コンテンツを再生する機器が接続可能な第二のコネクタと、第二のコネクタへの機器接続あるいは第二のコネクタに接続される機器を検出する検出手段と、検出手段により機器接続あるいは接続が検出されると、取得手段により取得された映像データとともに音声データの中の１つのチャンネル成分のデータを有するストリーミング信号を、第一のコネクタへ供給する供給手段と、を有するものである。
【００１３】
本発明に係る第四のＡＶソース装置は、映像データおよび複数のチャンネル成分を有する音声データを取得する取得手段と、映像コンテンツを再生する機器を接続するためのコネクタであって、且つその機器へ映像データおよび音声データを送信可能なストリーミング信号を出力する第一のコネクタと、音声コンテンツを再生する機器を接続するためのコネクタであって、且つ接続される機器へ第一のコネクタと同じ形式のストリーミング信号を出力する第二のコネクタと、第二のコネクタへの機器の接続を検出する検出手段と、検出手段により機器の接続が検出されると、第一のコネクタへ、取得手段により取得した映像データとともに音声データの中の１つのチャンネル成分のデータを有するストリーミング信号を供給するとともに、第二のコネクタへ、少なくとも１つのチャンネル成分以外のすべてのチャンネル成分のデータを有するストリーミング信号を供給する供給手段と、を有するものである。
【００１４】
本発明に係るＡＶソース装置は、上述した発明の各構成に加えて、供給手段が、検出手段により機器接続あるいは機器が検出されていない場合には、取得手段により取得した映像データおよび音声データを有するストリーミング信号を、第一のコネクタへ供給するものである。
【００１５】
本発明に係るＡＶ再生システムは、上述した発明の各構成に係るＡＶソース装置とともに、ＡＶソース装置の第一のコネクタに接続される映像コンテンツ再生機器と、第二のコネクタに接続される音声コンテンツ再生機器と、を有するものである。
【発明の効果】
【００１６】
本発明では、映像コンテンツを再生するハイビジョン受信機などの機器から、音声コンテンツを再生する機器による高品質な音場の形成を阻害する音を出力しないようにすることができる。
【発明を実施するための最良の形態】
【００１７】
以下、本発明の実施の形態に係るＡＶソース装置およびＡＶ再生システムを、図面に基づいて説明する。ＡＶソース装置は、ＤＶＤプレーヤを例として説明する。ＡＶ再生システムは、ＤＶＤプレーヤを有する場合を例に説明する。
【００１８】
図１は、本発明の実施の形態に係るＡＶ再生システム１の構成を示すシステム構成図である。ＡＶ再生システム１は、ＡＶソース装置としてのＤＶＤプレーヤ２と、ハイビジョン受信機３と、ＡＶアンプ４と、５．１ｃｈスピーカシステム５と、を有する。ハイビジョン受信機３は、映像コンテンツを再生する映像コンテンツ再生機器であり、ＡＶアンプ４および５．１ｃｈスピーカシステム５は、音声コンテンツを再生する音声コンテンツ再生機器に相当する。
【００１９】
ＡＶソース装置としては、ＤＶＤプレーヤ２の他にもたとえば、ブルーレイやＨＤ（Ｈｉｇｈ  Ｄｅｆｉｎｉｔｉｏｎ）−ＤＶＤなどの次世代のＤＶＤプレーヤ、インターネットからＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）６１９７３形式のストリーミング信号を取得して出力するＭＭＰ（マルチメディアプレーヤ）、パーソナルコンピュータなどであってもよい。また、ＤＶＤプレーヤ２は、７．１ｃｈの音声ストリーミングデータを取得して出力することができるものであってもよい。
【００２０】
ＤＶＤプレーヤ２とハイビジョン受信機３とは、ＨＤＭＩケーブル７により接続される。ＤＶＤプレーヤ２とＡＶアンプ４とは、他のＨＤＭＩケーブル８により接続される。
【００２１】
ＨＤＭＩケーブル７，８は、ＡＶ機器を１対１に接続するケーブルである。ＨＤＭＩケーブル７，８は、ＡＶストリーミング信号を伝送する。ＡＶストリーミング信号は、映像データおよび音声データとを格納することができる。以下、ＨＤＭＩについて説明する。
【００２２】
図２は、ＨＤＭＩ入出力チャンネルを示す図である。ＨＤＭＩ入出力チャンネルは、ＨＤＭＩ対応のＡＶソース装置１１とＡＶシンク装置１２とをＨＤＭＩケーブル１３により接続することで形成される。具体的には、２つのＡＶ装置１１，１２をＨＤＭＩケーブル１３で接続すると、２つのＡＶ装置１１，１２の間には、チャンネル０、チャンネル１、チャンネル２およびクロックチャンネルと呼ばれる、４つのＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｚｉｎｇ）リンクが形成される。各チャンネルは、差動信号によりデータを伝送する。
【００２３】
ＡＶストリーミング信号は、この４つのチャンネルにより伝送される。具体的には、チャンネル０、チャンネル１およびチャンネル２は、映像データのＲ（赤）Ｇ（緑）Ｂ（青）の色成分に対応する１つのピクセルコンポーネントデータを伝送する。クロックチャンネルは、ピクセルクロックを伝送する。
【００２４】
図３は、ＨＤＭＩの各チャンネルで伝送される伝送フレームのデータ構造を示す図である。伝送フレームは、縦５２５ピクセル×横８５８ピクセル分のデータサイズを有する。この伝送フレームの一部に、映像データの１フレーム分の色成分のピクセルコンポーネントデータが格納される。図３の伝送フレームは、斜線で示す範囲のピクセルに、縦４８０ピクセル×横７２０ピクセルのサイズのフレーム画像のデータを格納する。また、伝送フレームの画像データを格納していないピクセルに、パケットヘッダデータや音声データが格納される。
【００２５】
ＨＤＭＩにおいて、ピクセルコンポーネントデータを格納するピクセル領域は、ビデオデータピリオド１６と呼ばれる。パケットヘッダデータや音声データを格納するピクセル領域は、データアイランドピリオド１７と呼ばれる。その他の領域は、コントロールピリオド１８と呼ばれる。
【００２６】
図４は、ＨＤＭＩによる複数チャンネルの送信状態を示すタイミングチャートである。図４には、左側からコントロールピリオド１８、データアイランドピリオド１７、コントロールピリオド１８、ビデオデータピリオド１６が描画されている。コントロールピリオド１８は、データアイランドピリオド１７とビデオデータピリオド１６とを分離する。
【００２７】
データアイランドピリオド１７において、チャンネル０は、伝送フレームの同期データ（ＨＳＹＮＣデータおよびＶＳＹＮＣデータ）などを伝送する。チャンネル１およびチャンネル２は、パケット１およびパケット２を伝送する。パケット１およびパケット２には、音声データなどが格納される。
【００２８】
説明を図１に戻す。ＡＶアンプ４と５．１ｃｈスピーカシステム５とは、複数のＲＣＡケーブル９により接続される。なお、ＡＶアンプ４と５．１ｃｈスピーカシステム５とは、ＲＣＡケーブル９以外の同軸ケーブルやツイストペアケーブルなどで接続されていてもよい。
【００２９】
図５は、図１中のＤＶＤプレーヤ２の構成を示す装置構成図である。
【００３０】
ＤＶＤプレーヤ２は、第一のコネクタおよび第二のコネクタとしての２つのＨＤＭＩ出力コネクタ２１，２２を有する。２つのＨＤＭＩ出力コネクタ２１，２２は、ＨＤＭＩケーブル７，８が接続され、ＡＶストリーミング信号などを出力する。
【００３１】
２つのＨＤＭＩ出力コネクタ２１，２２の中の一方は、ビジュアル用に指定されており、他方は、オーディオ用に指定されている。ビジュアル用あるいはオーディオ用の指定は、たとえばＨＤＭＩ出力コネクタの近くの筐体表面に、ビジュアル用あるいはオーディオ用の文字を印刷すればよい。ビジュアル用のＨＤＭＩ出力コネクタ２１には、ハイビジョン受信機３に接続されるＨＤＭＩケーブル７が接続される。オーディオ用のＨＤＭＩ出力コネクタ２２には、ＡＶアンプ４に接続されるＨＤＭＩケーブル８が接続される。
【００３２】
ＤＶＤプレーヤ２は、この他にも、ビデオ信号を出力するビデオ信号出力コネクタ２３と、音声データを出力する光出力コネクタ２４と、アナログの音声信号を出力する信号出力コネクタ２５と、を有する。
【００３３】
また、ＤＶＤプレーヤ２は、再生処理部２６を有する。再生処理部２６は、図示外の駆動モータと、光ピックアップ３１と、取得手段としての信号処理部３２と、映像デコーダ３３と、ＩＰ（Ｉｎｔｅｒｌａｃｅ  ｔｏ  Ｐｒｏｇｒｅｓｓｉｖｅ）コンバータ３４と、スケーラ３５と、音声デコーダ３６と、２つのＨＤＭＩトランスミッタ３７，３８と、を有する。再生処理部２６は、この他にも、ビデオエンコーダ４１と、ビデオアンプ４２と、音声コーデック４３と、Ｄ／Ａコンバータ４４と、音声アンプ４５と、を有する。
【００３４】
駆動モータは、ＤＶＤ方式で映像データ、音声データなどが記録されたディスク型記録媒体１０を回転駆動する。光ピックアップ３１は、駆動モータにより回転駆動されるディスク型記録媒体１０を走査する。光ピックアップ３１は、ディスク型記録媒体１０に記録されたデータを読み取る。信号処理部３２は、光ピックアップ３１が読み取ったデータから、映像の分離データと音声の分離データとを生成する。また、信号処理部３２は、分離した音声のチャンネル数などを判断し、その判断結果を後述する装置制御部２７へ通知する。
【００３５】
信号処理部３２が分離生成した映像の分離データは、映像デコーダ３３へ供給される。映像デコーダ３３は、映像の分離データに基づいて、映像データを生成する。映像データには、たとえばＭＰＥＧ（Ｍｏｖｉｎｇ  Ｐｉｃｔｕｒｅ  Ｅｘｐｅｒｔｓ  Ｇｒｏｕｐ）形式の映像ストリーミングデータがある。ＩＰコンバータ３４は、映像デコーダ３３が生成するインターレス方式の映像データを、プログレッシブ方式の映像データへ変換する。ＩＰコンバータ３４は、変換後の映像データを、スケーラ３５およびビデオエンコーダ４１へ供給する。
【００３６】
スケーラ３５は、ＩＰコンバータ３４により変換されたプログレッシブ方式の映像データの各フレームの解像度を変換する。具体的にはたとえば、スケーラ３５は、４８０本の有効走査線数を有するプログレッシブフレームを、７２０本あるいは１０８０本の有効走査線数を有するプログレッシブフレームへ変換する。スケーラ３５は、生成した映像データを、２つのＨＤＭＩトランスミッタ３７，３８へ供給する。
【００３７】
ビデオエンコーダ４１は、ＩＰコンバータ３４により変換された映像データに基づいて、所定の信号フォーマットのアナログの映像信号を生成する。アナログの映像信号としては、たとえばＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）方式のもの、ＰＡＬ（Ｐｈａｓｅ  Ａｌｔｅｒｎａｔｉｏｎ  Ｌｉｎｅ）方式のものなどがある。なお、ビデオエンコーダ４１は、Ｄ３方式、Ｄ４方式などのデジタルの映像信号を生成するものであってもよい。ビデオアンプ４２は、ビデオエンコーダ４１により生成された映像信号を増幅する。ビデオ信号出力コネクタ２３は、ビデオアンプ４２により増幅されたアナログの映像信号を出力する。
【００３８】
信号処理部３２が分離生成した音声の分離データは、音声デコーダ３６へ供給される。音声デコーダ３６は、音声の分離データに基づいて、音声データを生成する。音声データには、ＤＴＳ（Ｄｉｇｉｔａｌ  Ｔｈｅａｔｅｒ  Ｓｙｓｔｅｍｓ）などの５．１ｃｈの音声ストリーミングデータや、２ｃｈの音声データ、モノラルの音声データなどがある。音声ストリーミングデータには、他にも７．１ｃｈのものや、ＳＡＣＤ（Ｓｕｐｅｒ  Ａｕｄｉｏ  ＣＤ）によるものなどがある。音声デコーダ３６は、生成した音声データを、２つのＨＤＭＩトランスミッタ３７，３８と、光出力コネクタ２４と、音声コーデック４３とへ供給する。
【００３９】
なお、音声デコーダ３６は、これら複数の出力先に対して、同じ音声データを供給するようにしても、別々の音声データを供給するようにしてもよい。音声デコーダ３６は、たとえば光出力コネクタ２４および音声コーデック４３に対して、５．１ｃｈの音声ストリーミングデータを供給し、２つのＨＤＭＩトランスミッタ３７，３８に対して、５．１ｃｈの音声ストリーミングデータをダウンミックスした２ｃｈの音声データを供給するようにしてもよい。
【００４０】
２つのＨＤＭＩトランスミッタ３７，３８は、別々にＡＶストリーミング信号を生成する。ＡＶストリーミング信号には、ＨＤＭＩトランスミッタ３７，３８に入力される映像データおよび音声データを重畳することが可能である。２つのＨＤＭＩトランスミッタ３７，３８の中の一方は、供給手段の一部として機能するものであり、生成したＡＶストリーミング信号をビジュアル用のＨＤＭＩ出力コネクタ２１へ供給する。また、他方のＨＤＭＩトランスミッタは、検出手段および供給手段の一部として機能するものであり、生成したＡＶストリーミング信号をオーディオ用のＨＤＭＩ出力コネクタ２２へ供給する。以下、両者を区別する場合、前者をビジュアル用のＨＤＭＩトランスミッタ３７とよび、後者をオーディオ用のＨＤＭＩトランスミッタ３８と呼ぶ。
【００４１】
また、ＨＤＭＩトランスミッタ３７，３８は、ＨＤＭＩ出力コネクタ２１，２２へのＨＤＭＩケーブル７，８の接続を監視する。ＨＤＭＩ出力コネクタ２１，２２へＨＤＭＩケーブル７，８が接続されると、ＨＤＭＩトランスミッタ３７，３８は、ＨＤＭＩケーブル７，８の先につながっている機器（図１では、ハイビジョン受信機３あるいはＡＶアンプ４）のＨＤＭＩレシーバと通信する。ＨＤＭＩトランスミッタ３７，３８は、ＨＤＭＩレシーバと通信すると、ＨＤＭＩ出力コネクタ２１，２２に機器が接続されたと判断し、接続検出を、後述する装置制御部２７へ通知する。
【００４２】
なお、光出力コネクタ２４は、音声デコーダ３６から供給される音声データを出力する。
【００４３】
また、音声コーデック４３は、音声データから、そのチャンネル数分のたとえばリニアＰＣＭ（Ｐｕｌｓｅ  Ｃｏｄｅ  Ｍｏｄｕｌａｔｉｏｎ）データを生成する。Ｄ／Ａコンバータ４４は、音声コーデック４３が生成したリニアＰＣＭデータから、アナログの音声信号を生成する。音声アンプ４５は、Ｄ／Ａコンバータ４４により生成された音声信号を増幅し、信号出力コネクタ２５へ出力する。信号出力コネクタ２５は、アナログの音声信号を出力する。
【００４４】
以上の構成を有するＤＶＤプレーヤ２は、再生処理部２６の他にも、装置制御部２７と、操作部２８と、表示部２９と、を有する。装置制御部２７は、再生処理部２６の動作を管理制御する。装置制御部２７は、操作部２８からの操作データに基づいて、再生処理部２６の動作状態を変更する。装置制御部２７は、再生処理部２６の動作状態などを、表示部２９に表示させる。再生処理部２６の動作状態では、再生状態、停止状態などがある。
【００４５】
図６は、図１中のハイビジョン受信機３の構成を示す装置構成図である。
【００４６】
ハイビジョン受信機３は、ＨＤＭＩ入力コネクタ５１を有する。ハイビジョン受信機３のＨＤＭＩ入力コネクタ５１は、ＨＤＭＩケーブル７により、ＤＶＤプレーヤ２のビジュアル用のＨＤＭＩ出力コネクタ２１と接続される。
【００４７】
また、ハイビジョン受信機３は、ＨＤＭＩレシーバ５２と、ビデオエンコーダ５３と、ビデオアンプ５４と、ディスプレイ５５と、音声コーデック５６と、Ｄ／Ａコンバータ５７と、音声アンプ５８と、２ｃｈスピーカ５９と、チューナ６０と、装置制御部６１と、操作部６２と、表示部６３と、を有する。
【００４８】
ＨＤＭＩレシーバ５２は、図示外のＴＭＤＳレシーバ、分離部、映像デコーダ、音声デコーダなどにより構成される。ＴＭＤＳレシーバ、分離部、映像デコーダ、音声デコーダなどは、たとえば図示外のＤＳＰ（Ｄｉｇｉｔａｌ  Ｓｉｇｎａｌ  Ｐｒｏｃｅｓｓｏｒ）がＨＤＭＩ入力処理プログラムを実行することで実現可能である。
【００４９】
ＨＤＭＩレシーバ５２のＴＭＤＳレシーバは、ＨＤＭＩ入出力チャンネルにより伝送されるＴＭＤＳ方式による複数チャンネルの差動信号を受信する。ＴＭＤＳレシーバは、受信したチャンネル毎の差動信号に重畳されているデジタルデータを抽出する。
【００５０】
ＨＤＭＩレシーバ５２の分離部は、著作権保護などのためのＨＤＣＰ（Ｈｉｇｈ−ｂａｎｄｗｉｄｔｈ  Ｄｉｇｉｔａｌ  Ｃｏｎｔｅｎｔ  Ｐｒｏｔｅｃｔｉｏｎ）鍵を用いて、ＴＭＤＳレシーバにより抽出されたデジタルデータを復号する。これにより、ＡＶストリーミング信号が再生される。分離部は、再生したＡＶストリーミング信号を、映像の分離データと、音声の分離データとに分離する。
【００５１】
ディスプレイ５５は、ビデオアンプ５４から供給されるアナログの映像信号に基づく映像を表示する。
【００５２】
２ｃｈスピーカ５９は、音声アンプ５８から供給される２ｃｈのアナログの音声信号に基づく音を出力する。音声信号がモノラルである場合、２ｃｈスピーカ５９は、２つのスピーカから同じ音を出力する。
【００５３】
チューナ６０は、ハイビジョン放送電波を受信する。チューナ６０は、受信したハイビジョン放送電波から、映像データ、音声データなどを抽出する。チューナ６０は、抽出した映像データをたとえばビデオエンコーダ５３へ出力し、抽出した音声データを音声コーデック５６へ出力する。
【００５４】
ハイビジョン受信機３の装置制御部６１は、操作部６２からの操作データに基づいて、ハイビジョン受信機３の音声アンプ５８へミュート指示やその解除指示を出力する。ハイビジョン受信機３の音声アンプ５８は、ミュート指示がなされると、音声信号を出力しない。ハイビジョン受信機３の音声アンプ５８は、チューナ６０からの音声データに基づく音声信号も出力しなくなる。ハイビジョン受信機３の音声アンプ５８は、ミュート解除が指示されると、音声信号の出力を開始する。
【００５５】
上述したもの以外のハイビジョン受信機３の構成要素は、図５に示すＤＶＤプレーヤ２における同名の構成要素と同じ機能を有するものであり、その説明を省略する。なお、音声アンプ５８には、２ｃｈスピーカ５９が接続されている。そのため、音声コーデック５６あるいはＤ／Ａコンバータ５７は、２チャンネル以上の音声データが入力される場合、それを２ｃｈにダウンミックスしたり、その中の２つのチャンネルの音声データをデコードしたりする。
【００５６】
図７は、図１中のＡＶアンプ４の構成を示す装置構成図である。
【００５７】
ＡＶアンプ４は、ＨＤＭＩ入力コネクタ７１を有する。ＡＶアンプ４のＨＤＭＩ入力コネクタ７１は、ＨＤＭＩケーブル８により、ＤＶＤプレーヤ２のオーディオ用のＨＤＭＩ出力コネクタ２２に接続される。ＡＶアンプ４は、この他にも、光入力コネクタ７２、５．１ｃｈ分（６つ）の信号入力コネクタ７３、５．１ｃｈ分の信号出力コネクタ７４などを有する。なお、信号入力コネクタ７３および信号出力コネクタ７４は、７．１ｃｈ分であっても、２．１ｃｈ分であってもよい。光入力コネクタ７２は、同軸ケーブルのコネクタであってもよい。
【００５８】
ＡＶアンプ４のＨＤＭＩ入力コネクタ７１は、ＨＤＭＩレシーバ７６に接続される。ＨＤＭＩレシーバ７６は、音声コーデック７７に接続される。音声コーデック７７は、Ｄ／Ａコンバータ７８に接続される。Ｄ／Ａコンバータ７８は、セレクタ７９に接続される。
【００５９】
セレクタ７９には、この他にも、他のＤ／Ａコンバータ８０と、信号入力コネクタ７３とが接続される。他のＤ／Ａコンバータ８０は、光入力コネクタ７２に入力される音声データが、音声コーデック８１を介して入力される。光入力コネクタ７２に入力される音声データには、５．１ｃｈの音声ストリーミングデータや、２ｃｈの音声データ、モノラルの音声データなどがある。５．１ｃｈの音声ストリーミングデータは、たとえばＡＡＣ、ＤＶＤ−Ａｕｄｉｏ形式などの形式に圧縮した上で、ＩＥＣ６１９７３形式により光伝送したりすることができる。２ｃｈの音声データやモノラルの音声データは、圧縮することなく、たとえばＩＥＣ６０９５８形式により光伝送することができる。
【００６０】
信号入力コネクタ７３には、５．１ｃｈのアナログの音声信号が入力可能である。５．１ｃｈの音声信号は、左前、右前、センター、左後、右後、サブウーファのつの音声信号で構成される。
【００６１】
セレクタ７９は、ＨＤＭＩ入力コネクタ７１に接続されるＤ／Ａコンバータ７８と、光入力コネクタ７２に接続されるＤ／Ａコンバータ８０と、信号入力コネクタ７３との中の１つを選択する。セレクタ７９は、選択したものから入力されるアナログの音声信号を、音声アンプ８２へ出力する。音声アンプ８２は、音声信号を増幅する。信号出力コネクタ７４は、音声アンプ８２により増幅されたアナログの音声信号を出力する。
【００６２】
信号出力コネクタ７４は、図１に示すようにＲＣＡケーブル９により、５．１ｃｈスピーカシステム５に接続される。５．１ｃｈスピーカシステム５は、６つのスピーカを有する。５．１ｃｈスピーカシステム５は、供給される複数の音声信号のそれぞれに基づいて、６つのスピーカを駆動する。
【００６３】
ＡＶアンプ４は、この他にも、装置制御部８３と、操作部８４と、表示部８５と、を有する。ＡＶアンプ４の装置制御部８３は、ＡＶアンプ４の動作を管理制御する。ＡＶアンプ４の装置制御部８３は、操作部８４からの操作データに基づいて、ＡＶアンプ４の動作状態を変更する。ＡＶアンプ４の装置制御部８３は、ＡＶアンプ４の動作状態などを、表示部８５に表示させる。
【００６４】
上述したもの以外のＡＶアンプ４の構成要素は、図５に示すＤＶＤプレーヤ２および図６に示すハイビジョン受信機３における同名の構成要素と同じ機能を有するものであり、その説明を省略する。
【００６５】
次に、図１のように接続されているＡＶ再生システム１の動作を説明する。図１の接続状態では、ＤＶＤプレーヤ２の２つのＨＤＭＩ出力コネクタ２１，２２にＨＤＭＩケーブル７，８が接続される。ビジュアル用のＨＤＭＩトランスミッタ３７は、ＨＤＭＩケーブル７を介して接続されるハイビジョン受信機３のＨＤＭＩレシーバ５２と通信する。ビジュアル用のＨＤＭＩトランスミッタ３７は、機器接続検出を、装置制御部２７へ通知する。オーディオ用のＨＤＭＩトランスミッタ３８は、ＨＤＭＩケーブル８を介して接続されるＡＶアンプ４のＨＤＭＩレシーバ７６と通信する。オーディオ用のＨＤＭＩトランスミッタ３８は、機器接続検出を、装置制御部２７へ通知する。
【００６６】
また、以下の説明では、映像データおよび５．１ｃｈの音声ストリーミングデータがＤＶＤ方式で記録されるディスク型記録媒体１０のコンテンツを再生する場合を例として、説明する。
【００６７】
ディスク型記録媒体１０は、図５に示すように、ＤＶＤプレーヤ２に装着される。ＤＶＤプレーヤ２の図示外の駆動モータは、ディスク型記録媒体１０を回転駆動する。光ピックアップ３１は、回転駆動されるディスク型記録媒体１０からデータを読み込む。光ピックアップ３１により読み取られたデータは、信号処理部３２へ供給される。信号処理部３２は、供給されたデータから、映像の分離データと、音声の分離データとを生成する。また、信号処理部３２は、音声の分離データを解析し、５．１ｃｈの音声ストリーミングデータを読み込んだことを、装置制御部２７へ通知する。
【００６８】
信号処理部３２が分離生成した映像の分離データは、映像デコーダ３３へ供給される。映像デコーダ３３は、供給された映像の分離データに基づいて、映像データを生成する。ＩＰコンバータ３４は、インターレス方式の映像データを、プログレッシブ方式の映像データへ変換する。ＩＰコンバータ３４が生成するプログレッシブ方式の映像データは、ビデオエンコーダ４１と、スケーラ３５とへ供給される。スケーラ３５は、プログレッシブ方式の映像データの各フレームの解像度を変換する。スケーラ３５により解像度が変換された映像データは、２つのＨＤＭＩトランスミッタ３７，３８へ供給される。
【００６９】
信号処理部３２が分離生成した音声の分離データは、音声デコーダ３６へ供給される。音声デコーダ３６は、音声の分離データに基づいて、音声データを生成する。ディスク型記録媒体１０に５．１ｃｈ音声ストリーミングデータが記録されているので、音声デコーダ３６は、５．１ｃｈ音声ストリーミングデータを生成する。音声デコーダ３６が生成した５．１ｃｈ音声ストリーミングデータは、２つのＨＤＭＩトランスミッタ３７，３８と、光出力コネクタ２４と、音声コーデック４３とに供給される。
【００７０】
２つのＨＤＭＩトランスミッタ３７，３８は、スケーラ３５から映像データが供給され、且つ、音声デコーダ３６から５．１ｃｈ音声ストリーミングデータが供給される。また、ＤＶＤプレーヤ２の装置制御部２７には、信号処理部３２から５．１ｃｈの音声ストリーミングデータを読み込んだことが通知され、且つ、２つのＨＤＭＩトランスミッタ３７，３８から、機器接続検出が通知されている。
【００７１】
図８は、図５中のＤＶＤプレーヤ２の装置制御部２７が実行するＨＤＭＩ出力指示処理を示すフローチャートである。装置制御部２７は、たとえばＤＶＤプレーヤ２の電源投入時、新しい記録媒体をローディングした時などにおいて、このフローを実行する。
【００７２】
装置制御部２７は、まず、ビジュアル用のＨＤＭＩ出力コネクタ２１に、他の機器（図１ではハイビジョン受信機３）が接続されていることが検出されているか否かを判断する（ステップＳＴ１）。上述するように、ビジュアル用のＨＤＭＩトランスミッタ３７は、機器接続検出を通知している。装置制御部２７は、接続検出ありと判断する。
【００７３】
ビジュアル用のＨＤＭＩ出力コネクタ２１への接続検出がありと判断した後、装置制御部２７は、出力する音声データが５．１ｃｈの音声ストリーミングデータであるか否かを判断する（ステップＳＴ２）。上述するように、信号処理部３２は、５．１ｃｈの音声ストリーミングデータを読み込んだことを通知している。装置制御部２７は、５．１ｃｈの音声ストリーミングデータであると判断する。
【００７４】
５．１ｃｈの音声ストリーミングデータであると判断した後、装置制御部２７は、さらに、オーディオ用のＨＤＭＩ出力コネクタ２２に、他の機器（図１ではＡＶアンプ４）が接続されていることが検出されているか否かを判断する（ステップＳＴ３）。上述するように、オーディオ用のＨＤＭＩトランスミッタ３８は、機器接続検出を通知している。装置制御部２７は、接続検出ありと判断する。
【００７５】
ビジュアル用のＨＤＭＩ出力コネクタ２１への接続検出がありと判断した後、装置制御部２７は、ビジュアル用のＨＤＭＩトランスミッタ３７へ、映像データのみの出力を指示し（ステップＳＴ４）、オーディオ用のＨＤＭＩトランスミッタ３８へ、音声データの出力を指示する（ステップＳＴ５）。
【００７６】
オーディオ用のＨＤＭＩトランスミッタ３８は、装置制御部２７から音声データの出力が指示されると、音声デコーダ３６から供給される５．１ｃｈ音声ストリーミングデータを含むＡＶストリーミング信号を生成する。なお、オーディオ用のＨＤＭＩトランスミッタ３８は、５．１ｃｈ音声ストリーミングデータとともに、スケーラ３５から供給される映像データを含むＡＶストリーミング信号を生成するようにしてもよい。オーディオ用のＨＤＭＩトランスミッタ３８は、生成したＡＶストリーミング信号を、オーディオ用のＨＤＭＩ出力コネクタ２２へ出力する。オーディオ用のＨＤＭＩ出力コネクタ２２は、ＡＶストリーミング信号をＡＶアンプ４へ送信する。
【００７７】
図７に示すように、ＡＶアンプ４のＨＤＭＩレシーバ７６は、ＨＤＭＩ入力コネクタ７１から入力されるＡＶストリーミング信号を受信する。ＨＤＭＩレシーバ７６は、受信したＡＶストリーミング信号の複数の差動信号に重畳されているデジタルデータを抽出し、ＨＤＣＰ鍵を用いてデジタルデータを復号する。ＤＶＤプレーヤ２がＡＶアンプ４に出力するＡＶストリーミング信号には、５．１ｃｈ音声ストリーミングデータが含まれている。ＨＤＭＩレシーバ７６は、５．１ｃｈ音声ストリーミングデータを生成する。
【００７８】
ＨＤＭＩレシーバ７６に接続される音声コーデック７７は、５．１ｃｈ音声ストリーミングデータをデコードし、チャンネル数分のリニアＰＣＭデータを生成する。Ｄ／Ａコンバータ７８は、チャンネル分のリニアＰＣＭデータから、チャンネル分の音声信号を生成する。
【００７９】
セレクタ７９は、たとえば操作部８４の図示外の操作キーの操作に基づく装置制御部８３からの指示により、ＨＤＭＩ入力コネクタ７１側のＤ／Ａコンバータ７８を事前に選択する。セレクタ７９は、選択しているＤ／Ａコンバータ７８から入力される５．１チャンネル分の音声信号を音声アンプ８２へ出力する。音声アンプ８２は、チャンネル分の音声信号を増幅して信号出力コネクタ７４へ供給する。
【００８０】
ＡＶアンプ４の信号出力コネクタ７４には、図１に示すように、５．１ｃｈスピーカシステム５が接続される。５．１ｃｈスピーカシステム５は、ＡＶアンプ４から供給される５．１ｃｈ分の音声信号に基づいて、５．１ｃｈの音声を出力する。これにより、５．１ｃｈスピーカシステム５は、ディスク型記録媒体１０に記録された５．１ｃｈ音声ストリーミングデータに基づく高音質の音声を出力する。
【００８１】
また、ＤＶＤプレーヤ２のビジュアル用のＨＤＭＩトランスミッタ３７は、図５に示すように、装置制御部２７から映像データのみの出力が指示される（ステップＳＴ４）と、スケーラ３５から供給される映像データのみを含むＡＶストリーミング信号を生成する。ビジュアル用のＨＤＭＩトランスミッタ３７は、生成したＡＶストリーミング信号を、ビジュアル用のＨＤＭＩ出力コネクタ２１へ出力する。ビジュアル用のＨＤＭＩ出力コネクタ２１は、ＡＶストリーミング信号をハイビジョン受信機３へ送信する。
【００８２】
ＨＤＭＩ入力コネクタ５１がＡＶストリーミング信号を受信すると、図６に示すように、ハイビジョン受信機３のＨＤＭＩレシーバ５２は、受信したＡＶストリーミング信号の複数の差動信号に重畳されているデジタルデータを抽出し、ＨＤＣＰ鍵を用いてデジタルデータを復号する。ＤＶＤプレーヤ２がハイビジョン受信機３に出力するＡＶストリーミング信号には、映像データのみが含まれている。５．１ｃｈ音声ストリーミングデータは含まれていない。ＨＤＭＩレシーバ５２は、映像データを生成する。
【００８３】
ハイビジョン受信機３のビデオエンコーダ５３は、ＨＤＭＩレシーバ５２が生成した映像データに基づいて、所定のアナログの映像信号を生成する。ビデオアンプ５４は、ビデオエンコーダ５３により生成された映像信号を増幅し、ディスプレイ５５へ供給する。ディスプレイ５５は、映像信号に基づく映像を表示する。これにより、ハイビジョン受信機３のディスプレイ５５には、ディスク型記録媒体１０に記録されるデータに基づく高品質の映像が表示される。
【００８４】
なお、ハイビジョン受信機３のＨＤＭＩレシーバ５２は、音声データを生成しない。したがって、ＨＤＭＩレシーバ５２から音声コーデック５６へ、音声データが供給されることはない。ハイビジョン受信機３の２ｃｈスピーカ５９から、音は出力されない。
【００８５】
視聴者は、ＤＶＤプレーヤ２からハイビジョン受信機３へデジタル伝送された高品質の画像を見て、ＤＶＤプレーヤ２からＡＶアンプ４へデジタル伝送された高品質の５．１ｃｈの音声を聞くことができる。
【００８６】
なお、ディスク型記録媒体１０には、５．１ｃｈの音声ストリーミングデータ以外の音声データが記録されることもある。このような音声データとしては、たとえばモノラルの音声データや、２ｃｈステレオの音声データなどがある。
【００８７】
このようなディスク型記録媒体１０がＤＶＤプレーヤ２に装着された場合、ＤＶＤプレーヤ２の信号処理部３２は、５．１ｃｈの音声ストリーミングデータ以外の音声データを読み込んだことを、装置制御部２７へ通知する。装置制御部２７は、図８のフローチャートのステップＳＴ２の判断ステップにおいて、出力する音声データが５．１ｃｈの音声ストリーミングデータでないと判断する。装置制御部２７は、ビジュアル用のＨＤＭＩトランスミッタ３７へ映像および音声の出力を指示する（ステップＳＴ６）。ビジュアル用のＨＤＭＩトランスミッタ３７は、スケーラ３５から供給される映像データとともに、音声デコーダ３６から供給される音声データを含むＡＶストリーミング信号を生成する。このＡＶストリーミング信号は、ハイビジョン受信機３へ送信される。
【００８８】
ハイビジョン受信機３のＨＤＭＩレシーバ５２は、受信したＡＶストリーミング信号から、映像データと音声データとを分離する。ＨＤＭＩレシーバ５２により分離された音声データは、音声コーデック５６によりデコードされ、Ｄ／Ａコンバータ５７により２チャンネル分の音声信号へ変換され、音声アンプ５８により増幅される。ハイビジョン受信機３の２ｃｈスピーカ５９は、２ｃｈの音声などを出力する。ハイビジョン受信機３は、映像と音声とを出力する。
【００８９】
視聴者は、ＤＶＤプレーヤ２からハイビジョン受信機３へデジタル伝送された高品質の映像を見て、ハイビジョン受信機３の２ｃｈスピーカ５９から出力される音声を聞くことができる。
【００９０】
ところで、図１のＡＶ再生システム１の接続とは異なり、たとえばＤＶＤプレーヤ２のビジュアル用のＨＤＭＩ出力コネクタ２１と、ハイビジョン受信機３のＨＤＭＩ入力コネクタ５１とのみがＨＤＭＩケーブル７で接続されている場合、ＤＶＤプレーヤ２のオーディオ用のＨＤＭＩトランスミッタ３８は、機器接続を検出しない。
【００９１】
この場合、ＤＶＤプレーヤ２の装置制御部２７は、図８のステップＳＴ３において、オーディオ用のＨＤＭＩ出力コネクタ２２の接続検出が無いと判断する。装置制御部２７は、ビジュアル用のＨＤＭＩトランスミッタ３７へ映像および音声の出力を指示する（ステップＳＴ６）。ビジュアル用のＨＤＭＩトランスミッタ３７は、スケーラ３５から供給される映像データとともに、音声デコーダ３６から供給される５．１ｃｈ音声ストリーミングデータを含むＡＶストリーミング信号を生成する。このＡＶストリーミング信号は、ハイビジョン受信機３へ送信される。
【００９２】
ハイビジョン受信機３のＨＤＭＩレシーバ５２は、受信したＡＶストリーミング信号から、映像データと５．１ｃｈ音声ストリーミングデータとを分離する。ＨＤＭＩレシーバ５２により分離された５．１ｃｈ音声ストリーミングデータは、音声コーデック５６によりデコードされ、Ｄ／Ａコンバータ５７により２チャンネル分の音声信号へダウンミックスされ、音声アンプ５８により増幅される。ハイビジョン受信機３の２ｃｈスピーカ５９は、５．１ｃｈを２ｃｈにダウンミックスした音声を出力する。ハイビジョン受信機３は、映像と音声とを出力する。
【００９３】
視聴者は、ＤＶＤプレーヤ２からハイビジョン受信機３へデジタル伝送された高品質の映像を見て、ハイビジョン受信機３の２ｃｈスピーカ５９からダウンミックスされた音声を聞くことができる。
【００９４】
なお、図１と同様のＡＶ再生システム１の接続であっても、ＡＶアンプ４の電源が切られている場合などにあっては、ＤＶＤプレーヤ２のオーディオ用のＨＤＭＩトランスミッタ３８は、機器接続を検出しない。したがって、このような場合でも、ハイビジョン受信機３は、映像と音声とを出力することになる。
【００９５】
また、その他にもたとえば、図１のＡＶ再生システム１の接続とは異なり、たとえばＤＶＤプレーヤ２のオーディオ用のＨＤＭＩ出力コネクタ２２と、ＡＶアンプ４のＨＤＭＩ入力コネクタ７１とのみがＨＤＭＩケーブル８で接続され、且つ、ＤＶＤプレーヤ２のビデオ信号出力コネクタ２３とハイビジョン受信機３とがケーブルで接続されている場合、ＤＶＤプレーヤ２のビジュアル用のＨＤＭＩトランスミッタ３７は、機器接続を検出しない。
【００９６】
この場合、ＤＶＤプレーヤ２の装置制御部２７は、図８のステップＳＴ１において、ビジュアル用のＨＤＭＩ出力コネクタ２１の接続検出が無いと判断する。装置制御部２７は、さらに、オーディオ用のＨＤＭＩ出力コネクタ２２の接続検出があるか否かを判断し（ステップＳＴ７）、有ると判断する。装置制御部２７は、オーディオ用のＨＤＭＩトランスミッタ３８へ映像および音声の出力を指示する（ステップＳＴ５）。オーディオ用のＨＤＭＩトランスミッタ３８は、音声デコーダ３６から供給される５．１ｃｈ音声ストリーミングデータを含むＡＶストリーミング信号を生成する。このＡＶストリーミング信号は、ＡＶアンプ４へ送信される。
【００９７】
ＡＶアンプ４のＨＤＭＩレシーバ７６は、受信したＡＶストリーミング信号から、５．１ｃｈ音声ストリーミングデータを分離する。ＨＤＭＩレシーバ７６により分離された５．１ｃｈ音声ストリーミングデータは、音声コーデック７７によりデコードされ、Ｄ／Ａコンバータ７８により音声信号へデコードされ、音声アンプ８２により増幅される。５．１ｃｈスピーカシステム５は、５．１ｃｈの音声を出力する。
【００９８】
視聴者は、ＤＶＤプレーヤ２からハイビジョン受信機３へ伝送された映像を見て、ＤＶＤプレーヤ２からＡＶアンプ４へデジタル伝送された高品質の５．１ｃｈの音声を聞くことができる。
【００９９】
また、その他にもたとえば、図１のＡＶ再生システム１の接続とは異なり、たとえばＤＶＤプレーヤ２のビデオ信号出力コネクタ２３とハイビジョン受信機３とがケーブルで接続され、且つ、ＤＶＤプレーヤ２の光出力コネクタ２４とＡＶアンプ４の光入力コネクタ７２とが光ケーブルで接続されている場合、ＤＶＤプレーヤ２の２つのＨＤＭＩトランスミッタ３７，３８は、機器接続を検出しない。
【０１００】
この場合、ＤＶＤプレーヤ２の装置制御部２７は、図８のステップＳＴ１において、ビジュアル用のＨＤＭＩ出力コネクタ２１の接続検出が無いと判断し、さらに、ステップＳＴ７において、オーディオ用のＨＤＭＩ出力コネクタ２２の接続検出が無いと判断する。装置制御部２７は、ビジュアル用のＨＤＭＩトランスミッタ３７およびオーディオ用のＨＤＭＩトランスミッタ３８へ、出力を指示しない。２つのＨＤＭＩトランスミッタ３７，３８は、ＡＶストリーミング信号を生成しない。そして、ハイビジョン受信機３は、ビデオ信号出力コネクタ２３から供給される映像信号に基づく映像を再生する。ＡＶアンプ４は、光入力コネクタ７２へ供給される５．１ｃｈ音声ストリーミングデータに基づく音声信号を５．１ｃｈスピーカシステム５へ供給する。
【０１０１】
視聴者は、ＤＶＤプレーヤ２からハイビジョン受信機３へ伝送された映像を見て、ＤＶＤプレーヤ２からＡＶアンプ４へ伝送された５．１ｃｈの音声を聞くことができる。
【０１０２】
以上のように、この実施の形態によれば、ＤＶＤプレーヤ２のオーディオ用のＨＤＭＩトランスミッタ３８は、オーディオ用のＨＤＭＩ出力コネクタ２２にＡＶアンプ４が接続されていることを検出する。そして、ＤＶＤプレーヤ２は、ハイビジョン受信機３へ、音声データを有しないＡＶストリーミング信号を出力する。
【０１０３】
したがって、このビジュアル用のＨＤＭＩ出力コネクタ２１に接続されるハイビジョン受信機３は、ＡＶストリーミング信号を受信しても、その受信に基づいて音声を再生しない。ハイビジョン受信機３は、不要な音を出力せず、ＡＶアンプ４による高品質な音場の形成を阻害しなくなる。視聴者は、高品質な音空間を楽しむことができる。
【０１０４】
また、この実施の形態によれば、オーディオ用のＨＤＭＩトランスミッタ３８が機器の接続を検出しない場合、ビジュアル用のＨＤＭＩトランスミッタ３７は、映像データおよび音声データを有するＡＶストリーミング信号を、ビジュアル用のＨＤＭＩ出力コネクタ２１へ供給する。つまり、ビジュアル用のＨＤＭＩトランスミッタ３７は、オーディオ用のＨＤＭＩ出力コネクタ２２への機器接続の有無に応じて、ビジュアル用のＨＤＭＩ出力コネクタ２１から出力するＡＶストリーミング信号の音声データを制御する。
【０１０５】
具体的には、オーディオ用のＨＤＭＩ出力コネクタ２２に機器が接続されている場合、ビジュアル用のＨＤＭＩトランスミッタ３７は、ビジュアル用のＨＤＭＩ出力コネクタ２１へ、不要な音を出力しないＡＶストリーミング信号を供給する。逆に、オーディオ用のＨＤＭＩ出力コネクタ２２に機器が接続されていない場合、ビジュアル用のＨＤＭＩトランスミッタ３７は、ビジュアル用のＨＤＭＩ出力コネクタ２１へ、音声データを有するＡＶストリーミング信号を供給する。
【０１０６】
したがって、視聴者は、ＡＶアンプ４による高音質な音場を楽しむときに、ハイビジョン受信機３の操作部６２を操作してハイビジョン受信機３にミュートを設定したり、その後にハイビジョン受信機３の操作部６２を操作してハイビジョン受信機３にミュート解除を設定したりする操作をしないで済む。視聴者は、視聴するコンテンツが切り替わる度に、ハイビジョン受信機３の音声出力の設定を操作しないでよい。
【０１０７】
以上の実施の形態は、本発明の好適な実施の形態の例であるが、本発明は、これに限定されるものではなく、発明の要旨を逸脱しない範囲において種々の変形、変更が可能である。
【０１０８】
たとえば上記実施の形態では、ＤＶＤプレーヤ２のビジュアル用のＨＤＭＩ出力コネクタ２１は、映像コンテンツを再生する機器を接続するためのコネクタであり、且つ、オーディオ用のＨＤＭＩ出力コネクタ２２は、音声コンテンツを再生する機器を接続するためのコネクタである。この他にもたとえば、２つのＨＤＭＩ出力コネクタ２１，２２は、その中の一方にハイビジョン受信機３が接続可能であり、且つ他方にＡＶアンプ４が接続可能であるようにしてもよい。
【０１０９】
この変形例の場合、オーディオ用のＨＤＭＩトランスミッタ３８は、オーディオ用のＨＤＭＩ出力コネクタ２２への機器の接続を検出する替わりに、オーディオ用のＨＤＭＩ出力コネクタ２２に接続される機器の種類などを検出するようにするのが好ましい。そして、ビジュアル用のＨＤＭＩトランスミッタ３７は、ハイビジョン受信機３が接続されるコネクタに対して、映像データのみを有するＡＶストリーミング信号を供給するようにするのが好ましい。
【０１１０】
上記実施の形態では、オーディオ用のＨＤＭＩ出力コネクタ２２への機器接続が検出されている場合、ＤＶＤプレーヤ２のビジュアル用のＨＤＭＩトランスミッタ３７は、ビジュアル用のＨＤＭＩ出力コネクタ２１に対して、映像データのみを有するＡＶストリーミング信号を供給する。この他にもたとえば、ＨＤＭＩトランスミッタ３７は、オーディオ用のＨＤＭＩ出力コネクタ２２への機器接続が検出されている場合、映像データとともに無音の音声データを有するＡＶストリーミング信号をＨＤＭＩ出力コネクタ２１へ供給するようにしてもよい。この変形例では、ビジュアル用のＨＤＭＩ出力コネクタ２１に接続されるハイビジョン受信機３は、ＡＶストリーミング信号を受信し、その受信に基づいて映像および音声を再生する。しかしながら、その再生音は無音であり、５．１ｃｈスピーカシステム５が形成する高音質の音場を阻害してしまうことはない。
【０１１１】
さらに他にもたとえば、ビジュアル用のＨＤＭＩトランスミッタ３７は、オーディオ用のＨＤＭＩ出力コネクタ２２への機器接続が検出されている場合、映像データとともに音声データの中の１つのチャンネル成分のデータを有するＡＶストリーミング信号を、ＨＤＭＩ出力コネクタ２１へ供給するようにしてもよい。この他の変形例の場合、ハイビジョン受信機３は、ＡＶストリーミング信号を受信し、その受信に基づいて映像および音声を再生し、音声データの中の１つのチャンネル成分の音を出力する。この音は、５．１ｃｈスピーカシステム５が高音質の音場を形成するために再生する音の中の１つと同じ物である。５．１ｃｈスピーカシステム５が再生する音と調和する。視聴者は、高品質な音空間を楽しむことができる。
【０１１２】
また、このように１つのチャンネル成分の音をハイビジョン受信機３から出力させる変形例においてはさらに、ビジュアル用のＨＤＭＩトランスミッタ３７は、ハイビジョン受信機３へ供給する１つのチャンネル成分以外のすべてのチャンネル成分のデータを、オーディオ用のＨＤＭＩ出力コネクタ２２へ供給するようにしてもよい。この更なる変形例では、オーディオ用のＨＤＭＩ出力コネクタ２２に接続されるＡＶアンプ４および５．１ｃｈスピーカシステム５において、ハイビジョン受信機３へ供給する１つのチャンネル成分を再生するスピーカなどが不要となる。
【０１１３】
特に、ハイビジョン受信機３へは、たとえば５．１ｃｈの音声ストリーミングデータの中のセンター成分を供給し、５．１ｃｈスピーカシステム５からセンター以外のチャンネル成分の音を出力するようにするとよい。これにより、ハイビジョン受信機３の近くに、センター成分を再生するスピーカユニットを配設することなく、５．１ｃｈの高音質な音場を形成することができる。ハイビジョン受信機３の周りに、ＡＶ機器が密集してしまわないようにすることができる。
【０１１４】
上記実施の形態では、オーディオ用のＨＤＭＩ出力コネクタ２２は、ビジュアル用のＨＤＭＩ出力コネクタ２１と同じフォーマットのＡＶストリーミング信号を出力している。この他にもたとえば、オーディオ用のＨＤＭＩ出力コネクタ２２は、たとえば音声ストリーミングデータのみを出力するものであっても、あるいは、アナログの音声信号を出力するものであってもよい。
【０１１５】
上記実施の形態では、ＤＶＤプレーヤ２の映像デコーダ３３の後段に、ＩＰコンバータ３４を設け、ビデオエンコーダ４１やスケーラ３５は、このＩＰコンバータ３４によりプログレッシブ変換された映像データを処理している。この他にもたとえば、ビデオエンコーダ４１やスケーラ３５は、ＤＶＤプレーヤ２の映像デコーダ３３が生成するインターレス方式の映像データを処理するようにしてもよい。この変形例の場合、ＨＤＭＩトランスミッタ３７，３８は、インターレス方式の映像データを有するＡＶストリーミングデータを生成し、ＨＤＭＩ出力コネクタ２１，２２へ出力することになる。
【産業上の利用可能性】
【０１１６】
本発明は、ＨＤＭＩにより、ＤＶＤプレーヤへハイビジョン受信機およびＡＶアンプを接続するＡＶ再生システムなどに利用することができる。
【図面の簡単な説明】
【０１１７】
【図１】図１は、本発明の実施の形態に係るＡＶ再生システムの構成を示すシステム構成図である。
【図２】図２は、ＨＤＭＩ入出力チャンネルを示す図である。
【図３】図３は、ＨＤＭＩの各チャンネルで伝送される伝送フレームのデータ構造を示す図である。
【図４】図４は、ＨＤＭＩによる複数チャンネルの送信状態を示すタイミングチャートである。
【図５】図５は、図１中のＤＶＤプレーヤの構成を示す装置構成図である。
【図６】図６は、図１中のハイビジョン受信機の構成を示す装置構成図である。
【図７】図７は、図１中のＡＶアンプの構成を示す装置構成図である。
【図８】図８は、図５中のＤＶＤプレーヤの装置制御部が実行するＨＤＭＩ出力指示処理を示すフローチャートである。
【符号の説明】
【０１１８】
１  ＡＶ再生システム
２  ＤＶＤプレーヤ（ＡＶソース装置）
３  ハイビジョン受信機（映像コンテンツ再生機器）
４  ＡＶアンプ（音声コンテンツ再生機器の一部）
５  ５．１ｃｈスピーカシステム（音声コンテンツ再生機器の一部）
２１  ビジュアル用のＨＤＭＩ出力コネクタ（第一のコネクタ）
２２  オーディオ用のＨＤＭＩ出力コネクタ（第二のコネクタ）
３２  信号処理部（取得手段）
３７  ビジュアル用のＨＤＭＩトランスミッタ（供給手段の一部）
３８  オーディオ用のＨＤＭＩトランスミッタ（検出手段、供給手段の一部）
【図１】
2007258867.tif 000003
【図２】
2007258867.tif 000004
【図３】
2007258867.tif 000005
【図４】
2007258867.tif 000006
【図５】
2007258867.tif 000007
【図６】
2007258867.tif 000008
【図７】
2007258867.tif 000009
【図８】
2007258867.tif 000010